(57)【要約】【課題】ハーフミラーと壁パネルあるいはテレビ受像機の周縁部との間に設けられた防水シール材や壁パネルの汚れ等がハーフミラー越しに透けて見えたりすることがなく、見栄えのよい壁用テレビジョン装置を提供することを目的としている。【解決手段】室内壁に支持されるテレビ受像機と、透明基板およびこの透明基板に積層された光半透過性薄膜層を有し、前記テレビ受像機を室内側から覆うように設けられるハーフミラーとを備える壁用テレビジョン装置において、前記ハーフミラーが、テレビ受像機側の面に光線不透過の隠蔽層が積層されている隠蔽部と、テレビ受像機の少なくともテレビ画面に対応する部分に設けられ、隠蔽層が積層されていない非隠蔽部とを備えていることを特徴としている。【選択図】      図２
2006086643.tif 000002
【特許請求の範囲】
【請求項１】
室内壁に支持されるテレビ受像機と、
透明基板およびこの透明基板に積層された光半透過性薄膜層を有し、前記テレビ受像機を
室内側から覆うように設けられるハーフミラーとを備える壁用テレビジョン装置において
、
前記ハーフミラーが、テレビ受像機側の面に光線不透過の隠蔽層が積層されている隠蔽部
と、
テレビ受像機の少なくともテレビ画面に対応する部分に設けられ、隠蔽層が積層されてい
ない非隠蔽部とを備えていることを特徴とする壁用テレビジョン装置。
【請求項２】
隠蔽層がスクリーン印刷によって形成されている請求項１に記載の壁用テレビジョン装
置。
【請求項３】
透明基板がガラスで形成されているとともに、このガラスの飛散防止用樹脂薄膜が積層
されている請求項１または請求項２に記載の壁用テレビジョン装置。
【請求項４】
ハーフミラーの表面に親水処理が施されている請求項１〜請求項３のいずれかに記載の
壁用テレビジョン装置。
【請求項５】
室内壁面に固定され、ハーフミラー受け部およびテレビ受像機受け部を有する支持具を
備え、
この支持具は、ハーフミラー受け部とテレビ受像機受け部との距離が、ハーフミラーの下
端が前記支持具のハーフミラー受け部に受けられ、テレビ受像機の下端がテレビ受像機受
け部に受けられたとき、テレビ受像機のテレビ画面がハーフミラーの非隠蔽部内に収まる
位置に位置決めされるように形成されている請求項１〜請求項４のいずれかに記載の壁用
テレビジョン装置。
【発明の詳細な説明】
【技術分野】
【０００１】
本発明は、浴室等の室内壁面に取り付けられる壁用テレビジョン装置に関する。
【背景技術】
【０００２】
昨今は、より一層のくつろぎ空間を得るために室内にテレビ受像機を設け、浴槽に浸か
りながらゆったりとテレビ放送やビデオ映像を楽しめるようにした浴室が、一般家庭でも
増えてきている。
このような室内壁面に取り付けられる壁用テレビジョン装置として、テレビ受像機を浴
室内の水分から保護するとともに、テレビ受像機で映像を見ない場合には、テレビ受像機
の画面が浴室内の入浴者から見えないように、浴室の内壁に設けたテレビ受像機の前面お
よびテレビ受像機の周囲の室内壁をハーフミラーで覆うようにした壁用テレビジョン装置
が既に提案されている（特許文献１参照）。
【０００３】
しかし、上記のようなハーフミラーを用いた壁用テレビジョン装置の場合、光線の当た
り具合によっては、ハーフミラー越しに、ハーフミラーと壁パネルあるいはテレビ受像機
の周縁部との間に設けられた防水シール材や壁パネルの汚れ等が透けて見えて見栄えが悪
いという問題がある。
【０００４】
【特許文献１】特開２００１−３２７４２８号公報
【発明の開示】
【発明が解決しようとする課題】
【０００５】
本発明は、上記事情に鑑みて、ハーフミラーと壁パネルあるいはテレビ受像機の周縁部
との間に設けられた防水シール材や壁パネルの汚れ等がハーフミラー越しに透けて見えた
りすることがなく、見栄えのよい壁用テレビジョン装置を提供することを目的としている
。
【課題を解決するための手段】
【０００６】
上記目的を達成するために、本発明の請求項１に記載の壁用テレビジョン装置（以下、
「請求項１のテレビジョン装置」と記す）は、室内壁に支持されるテレビ受像機と、透明
基板およびこの透明基板に積層された光半透過性薄膜層を有し、前記テレビ受像機を室内
側から覆うように設けられるハーフミラーとを備える壁用テレビジョン装置において、前
記ハーフミラーが、テレビ受像機側の面に光線不透過の隠蔽層が積層されている隠蔽部と
、テレビ受像機の少なくともテレビ画面に対応する部分に設けられ、隠蔽層が積層されて
いない非隠蔽部とを備えていることを特徴としている。
【０００７】
隠蔽層は、特に限定されないが、たとえば、ハーフミラーに印刷や樹脂フィルムの貼り
付けることによって形成されるが、通常は無地で、ハーフミラー越しに視認可能な図柄が
描かれていても構わない。
【０００８】
また、本発明の請求項２に記載の壁用テレビジョン装置（以下、「請求項２のテレビジ
ョン装置」と記す）は、請求項１のテレビジョン装置において、隠蔽層がスクリーン印刷
によって形成されていることを特徴としている。
【０００９】
本発明の請求項３に記載の壁用テレビジョン装置（以下、「請求項３のテレビジョン装
置」と記す）は、請求項１または請求項２のテレビジョン装置において、透明基板がガラ
スで形成されているとともに、このガラスの飛散防止用樹脂薄膜が積層されていることを
特徴としている。
【００１０】
ガラスの飛散防止用樹脂薄膜としては、特に限定されないが、たとえば、ポリエチレン
テレフタレート（ＰＥＴ）フィルムや、ポリエチレンフィルムなどを接着剤で隠蔽層に貼
着することによって得られる。
【００１１】
本発明の請求項４に記載の壁用テレビジョン装置（以下、「請求項４のテレビジョン装
置」と記す）は、請求項１〜請求項３のいずれかのテレビジョン装置において、ハーフミ
ラーの表面に親水処理が施されていることを特徴としている。
【００１２】
親水処理方法としては、特に限定されないが、たとえば、透明基板がガラス基板の場合
、ガラス表面に親水剤等を塗布定着させて親水膜を形成する方法、ガラス表面をコロナ放
電等で処理する方法等が挙げられる。
【００１３】
本発明の請求項５に記載の壁用テレビジョン装置（以下、「請求項５のテレビジョン装
置」と記す）は、請求項１〜請求項４のいずれかのテレビジョン装置において、室内壁面
に固定され、ハーフミラー受け部およびテレビ受像機受け部を有する支持具を備え、この
支持具は、ハーフミラー受け部とテレビ受像機受け部との距離が、ハーフミラーの下端が
前記支持具のハーフミラー受け部に受けられ、テレビ受像機の下端がテレビ受像機受け部
に受けられたとき、テレビ受像機のテレビ画面がハーフミラーの非隠蔽部内に収まる位置
に位置決めされるように形成されていることを特徴としている。
【発明の効果】
【００１４】
請求項１のテレビジョン装置は、ハーフミラーが、テレビ受像機側の面に光線不透過の
隠蔽層が積層されている隠蔽部と、テレビ受像機の少なくともテレビ画面に対応する部分
に設けられ、隠蔽層が積層されていない非隠蔽部とを備えているので、テレビ受像機がオ
ンの状態のとき、テレビ画面が非隠蔽層を介して室内側からクリアーに視認できる。そし
て、テレビ受像機がオフの状態のときは、通常、ハーフミラーによって室内側からの光線
が光半透過性薄膜層によって反射され、非隠蔽部を介してテレビ画面およびリモートコン
トロールスイッチの赤外線受光器等が視認不可能で、鏡のみが存在するように見える。ま
た、隠蔽層が設けられているので、ハーフミラー越しにハーフミラーと壁パネルあるいは
テレビ受像機の周縁部との間に設けられた防水シール材や壁パネルの汚れ等が光線の具合
のよって透けて見えたりすることがない。したがって、テレビ受像機がオン、オフいずれ
の状態の場合でも非常に見栄えのよいものとなる。
【００１５】
請求項２のテレビジョン装置は、隠蔽層がスクリーン印刷によって形成されているので
、正確かつ容易に隠蔽層を形成することができる。
【００１６】
請求項３のテレビジョン装置は、透明基板がガラスで形成されているとともに、このガ
ラスの飛散防止用樹脂薄膜が積層されているので、施工時や使用時に誤ってガラス基板が
破損し、その破片が飛散するのを防止することができる。すなわち、取付作業時等の安全
性を高めることができる。
【００１７】
請求項４のテレビジョン装置は、ハーフミラーの室内側の面に親水処理が施されている
ので、水滴がハーフミラーの室内側の面に付着せず、テレビ画面を常にクリアーな状態で
楽しむことができる。
【００１８】
請求項５のテレビジョン装置は、室内壁面に固定され、ハーフミラー受け部およびテレ
ビ受像機受け部を有する支持具を備え、この支持具は、ハーフミラー受け部とテレビ受像
機受け部との距離が、ハーフミラーの下端が前記支持具のハーフミラー受け部に受けられ
、テレビ受像機の下端がテレビ受像機受け部に受けられたとき、テレビ受像機のテレビ画
面がハーフミラーの非隠蔽部内に収まる位置に位置決めされるように形成されている。し
たがって、支持具を室内壁面の所望位置に固定し、テレビ受像機の下端をテレビ受像機受
け部に受けさせるとともに、ハーフミラーの下端をハーフミラー受け部に受けさせること
によって、テレビ受像機のテレビ画面を、容易かつ正確にハーフミラーの非隠蔽部に一致
する位置に配置させることができる。すなわち、テレビ受像機およびハーフミラーの取付
作業性に優れたものとなる。
【発明を実施するための最良の形態】
【００１９】
以下に、本発明を、その実施の形態をあらわす図面を参照しつつ詳しく説明する。
図１〜図１０は、本発明にかかる壁用テレビジョン装置の１つの実施の形態をあらわし
ている。
【００２０】
図１〜図３に示すように、このテレビジョン装置Ａは、テレビ受像機１と、ハーフミラ
ー3と、ハーフミラー支持具（ハーフミラーレール）４と、ハーフミラー上縁支持フレー
ム５とを備えている。
【００２１】
テレビ受像機１は、図２および図３に示すように、正面視長方形をした本体部１ａが、
室内側の面にテレビ画面１１と、リモートコントロールスイッチ(図示せず)から発せられ
る赤外線信号を受光する赤外線受光器１２とを備えている。
また、本体部１ａの室内側の面には、感圧型粘着剤付きシール剤（たとえば、日東電工
社製：商標シールセーバーＳＡ６１２）によって形成された防水シール１３がテレビ画面
１１の周囲を囲むように設けられている。
【００２２】
ハーフミラー３は、図４に示すように、透明基板としてのガラス基板３１と、光半透過
性薄膜層３２と、隠蔽層３３と、飛散防止用樹脂薄膜３５とを備えている。
ガラス基板３１は、室内側の面に親水膜３６が積層され、他方の面（取付時に壁側とな
る面）に光半透過性薄膜層３２が積層されている。
【００２３】
光半透過性薄膜層３２は、アルミニウム等の金属材料をスパッタリングすることによっ
てガラス基板３１に積層されていている。
【００２４】
隠蔽層３３は、テレビ受像機の少なくともテレビ画面１１および赤外線受光器１２の部
分が臨む非隠蔽部３４を除く部分の光半透過性薄膜層３２にスクリーン印刷によって光不
透過性で電源オフ状態のテレビ画面１１と略同色の塗料を塗布することによって積層され
、隠蔽部３６を形成するようになっている。
すなわち、隠蔽部３６は、隠蔽層３３によってガラス基板３１側からハーフミラー３の
後方を透かしてみることができないようにしている。
【００２５】
ハーフミラー支持具４は、図３および図５に示すように、溝状部４１と、ねじ固定部４
２と、テレビ受像機受け部４３とを備え、アルミニウムあるいは樹脂で形成されている。
溝状部４１は、ハーフミラー３の下端部が嵌まり込むようになっていて、その底がハー
フミラー３の下端を受けるハーフミラー受け部４１ａになっている。
【００２６】
ねじ固定部４２は、ビス４４の胴部が挿通可能なねじ挿通孔（図示せず）が穿設されて
いる。
テレビ受像機受け部４３は、ねじ固定部４２の上端面に設けられていて、ハーフミラー
受け部４１との距離が、ハーフミラー３の下端がハーフミラー受け部４１ａに受けられ、
テレビ受像機１の下端がテレビ受像機受け部４３に受けられたとき、テレビ受像機１のテ
レビ画面１１およびおよび赤外線受光器１２の部分がハーフミラー３の非隠蔽部３４内に
収まる位置に位置決めされるように形成されている。
【００２７】
ハーフミラー上縁支持フレーム５は、図３に示すように、ねじ固定部５２と、このねじ
固定部５２との間にハーフミラー３の上縁部が嵌まり込む溝部５１を形成するハーフミラ
ー係止部５３とを備え、アルミニウムあるいは樹脂で形成されている。
ねじ固定部５２には、固定用ビスの胴部が挿通可能で上下方向に長い長孔が穿設されて
いる。
【００２８】
樹脂薄膜３５は、ポリエチレンテレフタレート等によって形成されていて、光半透過性
薄膜層３２との間に隠蔽層３３を挟み込むように隠蔽層３３にアクリル樹脂系接着剤を介
して積層されている。
【００２９】
つぎに、テレビジョン装置Ａの取付方法の１例を詳しく説明する。
（１）テレビ受像機１の取り付けられるテレビ受像機１の本体部１ａが嵌まり込む開口
２３を備えた壁パネル２１を浴室２の室内壁を形成するように所定の設置位置に配置する
とともに、壁パネル２１の背面空間に配線された中継ハーネス７の先端を開口２３から壁
パネル２１の浴室２側に臨ませておく。
なお、開口２３は、現場施工で形成しても、工場で予め開口２３を設けた壁パネル２１
を作製しておいても構わない。
【００３０】
（２）ハーフミラー支持具４を、図５に示すように、壁パネル２１の表面２２に開口２
３の下端とハーフミラー受け部４１ａとの距離が、ハーフミラー３の下端から非隠蔽部３
４の下端までの長さと略一致させた状態で、ビス４４によってねじ固定部４２を壁パネル
２１表面に固定する。
（３）図３に示すように、ビス４４の胴部上端でねじ固定部５２の長孔上端が受けられ
た状態にしたとき、ハーフミラー係止部５３の下端と、ハーフミラー支持具４のハーフミ
ラー受け部４１ａとの距離がハーフミラー３の上下長さより短く、ビス４４の胴部の下端
がねじ固定部５２の長孔下端が当接した状態にしたとき、ハーフミラー係止部５３の下端
と、ハーフミラー支持具４のハーフミラー受け部４１ａとの距離がハーフミラー３の上下
長さより長くなるように、ハーフミラー上縁支持フレーム５を長孔に沿って上下方向にス
ライド可能に壁パネル２１にビス４４によって固定する。
【００３１】
（４）図５および図６に示すように、テレビ受像機１の本体部１ａを浴室側から開口２
３内に挿入させるとともに、本体部１ａの下端をねじ固定部４２の上端のテレビ受像機受
け部４３に受けさせた状態で、固定部１ｂの周縁部に所定間隔で穿設されたねじ挿通孔１
４を介して図５および図７に示すように後述する固定用のタッピンねじ８の下孔２５をき
り等で壁パネル２１に穿設する。
（５）一旦、テレビ受像機１を取り除いたのち、図５および図７に示すように、シリコ
ーン樹脂製等のシール剤２６を、下孔２５に充填するとともに、テレビ受像機受け部４３
に塗布する。
（６）図８に示すように、テレビ受像機１の固定部１ｂの壁パネル２１側に設けられた
離型紙１５を取り外し、固定部１ｂの壁パネル２１側の面に設けられた粘着剤層（図示せ
ず）を露出させるとともに、テレビ受像機１の本体部１ａの端子に中継ハーネス７の先端
を接続する。
【００３２】
（７）図９に示すように、再びテレビ受像機１の本体部１ａを浴室側から開口２３内に
挿入し、本体部１ａの下端をテレビ受像機受け部４３に受けさせ、かつ、固定部１ｂを粘
着剤を介して壁パネル表面に貼着させた状態で、タッピンねじ８をねじ挿通孔１４越しに
下孔２５にねじ込み、テレビ受像機１を壁パネル２１に固定するとともに、シール剤２６
をテレビ受像機１の固定部１ｂと壁パネル２１との隙間に充填する。
（８）図１０に示すように、壁パネル２１のテレビ受像機１固定部直上に、エチレンー
プロピレンージエン三元共重合体からなる防水材（たとえば、日東電工社製  商標エプト
シーラー）９を山形にして貼着する。
【００３３】
（９）図２に示すように、壁パネル２１のハーフミラー３の四隅がくる部分に鏡裏パッ
キンＰを貼り付ける。
（１０）ハーフミラー上縁支持フレーム５をビス４４の胴部の下端がねじ固定部５２の
長孔下端が当接した状態になるように上方にスライドさせた状態で、ハーフミラー３の下
端部を溝状部４１に挿入し、ハーフミラー受け部４１ａにハーフミラー３の下端を受けさ
せたのち、ハーフミラー３を壁パネル２１側に押圧し、ハーフミラー３の裏面によって防
水シール１３、防水材９および鏡裏パッキンＰを壁パネル２１方向に圧縮させる。
【００３４】
（１１）ビス４４の胴部上端でねじ固定部５２の長孔上端が受けられた状態になるまで
ハーフミラー上縁支持フレーム５を下方にスライドさせ、ハーフミラー３の上端部を溝部
５１内に臨ませてハーフミラー係止部５３によって係止させることによって、図１〜図３
に示すようにハーフミラー３をテレビ受像機１の前面を覆うように取り付ける。
なお、上記（１）〜（１１）の工程は、必要に応じてその順序を自由に変更しても構わ
ない。
【００３５】
このテレビジョン装置Ａは、以上のように、ハーフミラー支持具４のハーフミラー受け
部４１ａにハーフミラー３の下端が受けられるとともに、テレビ受像機１の下端がテレビ
受像機受け部４３に受けられた状態で、テレビ受像機１のテレビ画面１１がハーフミラー
３の非隠蔽部３４内に収まる位置に位置決めされるようになっているので、ハーフミラー
３の非隠蔽部３４と、テレビ画面１１とが正確に位置合わせできる。
【００３６】
また、ハーフミラー３は、テレビ画面１１に対応する非隠蔽部３４以外の部分に隠蔽層
３３が設けられているので、この隠蔽層３３によってハーフミラー３の後方、すなわち、
防水シール１３や防水材９等が浴室側からまったく見えず、常に見栄えがよい。
さらに、壁パネル２１のテレビ受像機１固定部直上に、防水材９を山形にして貼着して
あるので、壁パネル２１に付着した水滴等が、壁面を伝って流れ落ちてきても、防水材９
によって遮られ、テレビ受像機１側に流れ落ちない。したがって、防水シール１３の劣化
を防ぎ、防水シール１３による防水状態を安定して確保できる。
【００３７】
本発明にかかる壁用テレビジョン装置は、上記の実施の形態に限定されない。たとえば
、上記の実施の形態では、浴室に設けられていたが、寝室等の一般の居室に設けられてい
ても構わない。
また、上記の実施の形態では、壁パネルで浴室内壁を構築したのちに、テレビ受像機お
よびハーフミラーを壁パネルに取り付けるようにしていたが、壁パネルに予めテレビ受像
機およびハーフミラーを取り付けた状態にしたのち、この壁パネルで浴室内壁を構築する
ようにしても構わない。
【図面の簡単な説明】
【００３８】
【図１】本発明にかかる壁用テレビジョン装置の１つの実施の形態であって、テレビ受像機が浴室に設置された状態の斜視図である。
【図２】図１のハーフミラー部分の正面図である。
【図３】図１のＸ−Ｘ線断面図である。
【図４】ハーフミラーの層構成を説明する断面図である。
【図５】図１の壁用テレビジョン装置におけるハーフミラーレールおよびテレビ受像機の取付状態をあらわす断面図である。
【図６】図１の壁用テレビジョン装置におけるハーフミラーレールおよびテレビ受像機の取付状態をあらわす正面図である。
【図７】図１の壁用テレビジョン装置における下孔およびテレビ受像機受け部への防水シール剤充填および塗布工程を説明する壁パネル開口部分の正面図である。
【図８】図１の壁用テレビジョン装置におけるテレビ受像機への中継ハーネス接続工程を説明する斜視図である。
【図９】図１の壁用テレビジョン装置におけるテレビ受像機の壁パネルへの固定工程を説明する斜視図である。
【図１０】図１の壁用テレビジョン装置における防水材の壁パネルへの固定工程を説明する斜視図である。
【符号の説明】
【００３９】
Ａ  テレビジョン装置
Ｐ  鏡裏パッキン
１  テレビ受像機
１ａ  本体部
１ｂ  固定部
１１  テレビ画面
１２  赤外線受光器
１３  防水シール
１４  ねじ挿通孔
２  浴室
２１  壁パネル（室内壁）
２２  壁パネル表面
２３  開口
２５  下孔
３  ハーフミラー
３１  ガラス基板
３２  光半透過性薄膜層
３３  隠蔽層
３４  非隠蔽部
３５  樹脂薄膜
４  ハーフミラーレール（支持具）
４１  溝状部
４１ａ  ハーフミラー受け部
４２  ねじ固定部
４３  テレビ受像機受け部
４４  ビス
５  ハーフミラー上縁支持フレーム
５１  溝部
５２  ねじ固定部
５３  ハーフミラー係止部
８  タッピンねじ
９  防水材
【図１】
2006086643.tif 000003
【図２】
2006086643.tif 000004
【図３】
2006086643.tif 000005
【図４】
2006086643.tif 000006
【図５】
2006086643.tif 000007
【図６】
2006086643.tif 000008
【図７】
2006086643.tif 000009
【図８】
2006086643.tif 000010
【図９】
2006086643.tif 000011
【図１０】
2006086643.tif 000012